(57)【特許請求の範囲】
【請求項１】
所要肉厚を有し剛性を付与した吸水性を有する基板シートの一面に、合成樹脂フィルムの一面にアルミの蒸着膜層を成層し、その表面に保護の合成樹脂フィルムを積層し接着してなる遮断シートを積層し、この両シートを経時硬化性のない低弾性率粘着材層を介して一体に接合し形成してなることを特徴としたコンテナの床面マスキング用仮設シート。
【請求項２】
請求項１の記載において、基板シートは所要肉厚を有するパルプを主材とするフエルト製シートであることを特徴としたコンテナの床面マスキング用仮設シート。
【請求項３】
請求項１の記載において、基板シートは少なくとも１平方メートル当たり２００ｇのパルプ紙であることを特徴としたコンテナの床面マスキング用仮設シート。
【発明の詳細な説明】
【０００１】
【発明の属する技術分野】
本発明は、貨物運搬用のコンテナの床面に敷詰めて水蒸気乃至悪臭の室内拡散を防止するマスキング用仮設シートに関する。
【０００２】
【従来の技術】
貨物運搬用のコンテナは鋼板によって堅牢な箱形に製造されており、また搬入出用の扉を閉塞することによって内部を密閉できる構造にしてあることから貨物を安全に輸送することができ、且つまた重量物の輸送から軽量物の輸送にも適すると共に貨物のばら積みも可能であることから貨物の輸送手段として極めて都合がよいものとなっている。ことにコンテナの密閉構造は雨風の侵入を防止し、車輛，船舶にそのまゝ積載することができ、しかも移動に際してはコンテナのまゝ輸送手段を代えられるため陸上から海上を通して一貫した貨物の運搬が可能でありこれらの特徴から多種多様な貨物の運搬に利用されている。
【０００３】
この様にコンテナは広く貨物の運搬手段として利用されているが、一つの問題は雑多な貨物が格納され、しかも比較的長期に亘って格納されることから貨物固有の臭がコンテナ内に付着してこれが他の貨物に移ること、そしてコンテナ自体が自然条件下に晒され、高温から低温の間を移動することから湿気を帯び、これが貨物に悪影響を与えることがあることである。
【０００４】
ことに自然条件下における温度変化に伴う温度の上昇、またこれによって発生するカビ臭の如く悪臭はコンテナ内に残り他の貨物の商品価値を損なうなど重大な影響がある。貨物の中でもことにコーヒーや紅茶の如く香りを生命とする嗜好品類及び食品類或いは食品用の包材等は特に臭に敏感であり、微量であっても影響を受けやすく、商品価値を損なうことがある。
【０００５】
コンテナにおける臭気或いは水蒸気の発生源はコンテナ内壁面であり、特に床面は木製床板が敷詰められるなどして保水性があることから発生源となり易い条件が揃っている。
従来、この様なコンテナ内における臭気，水蒸気から貨物を守る方法として防臭シートで被覆することが行われており、このためのシートとして例えば特開平４ー３１２６６号公報で開示されるような防臭シートが提案されている。
【０００６】
この防臭シートは貨物を包み込むことによってコンテナ内部に拡散する水蒸気、或いは悪臭から隔離し、コンテナ内部に漂う水蒸気、悪臭成分の付着を回避しようとするもので、基板に積層される金属シートを主とした遮臭シートの作用によって遮断し、その効果を挙げるものとなっている。
【０００７】
【発明が解決しようとする課題】
しかし、この防臭シートによる防止策は格納積載する個々の貨物を被覆し包装する場合にはシートそのものの効果を挙げることができ貨物を保護することができるが、貨物を直接包装被覆できない場合や直接包装被覆の気密性に完全を期し難い場合にはこのシートによる保護は出来ないことになる。ことに小物の貨物をばら積みしたり、貨物が大型であって包装が厄介となる場合積込み効率が悪くなり利用できないことになる。
【０００８】
この様なことから貨物を悪臭や湿気から守るにはコンテナ内壁面を直接被覆して室内への拡散を防止するのが有効である。この場合特に悪臭や湿気の発生源となる床面を被覆するのが効果的であるが、周知の様にコンテナにおける貨物の搬入搬出はフォークリフトの如く運搬機械によって行われることから床面を被覆した状態でこれの使用が可能であることが望まれる。
【０００９】
しかし、前述従来の防臭シートは臭気や湿気を遮断することに力点が置かれており、フォークリフトの走行に耐え得るものとなっていないことから床面に敷詰めて被覆するには全く不向きのものとなっている。特にフォークリフトはそれ自身重量物であると共に、貨物を積載することで更に重量を増すことになるためシート上を走行させたり、タイヤの向きを変えるとシートをたぐり寄せたり、皺を作って床面に敷詰めたシートの被覆を破ってしまう等の欠点があり、使用上の制約となっている。
【００１０】
本発明はこの様なコンテナの使用における事情に鑑み、従来の防臭シートにおける不完全性を改善する目的で研究開発されたもので、その主たる目的はコンテナに貨物を搬入し、或いは搬出する際に乗り入れるフォークリフト等の運搬機械の走行、或いは方向変換や制動に伴ってタイヤによるたぐり寄せや、皺を作ることで床面の被覆が剥がされ密閉状態が損なわれるのを有効に回避できるようにした改良されたコンテナ用のマスキング用仮設シートを提供せんとするものである。
【００１１】
従来の防臭シートは前述したように合成樹脂シート乃至は金属シートを含むことによって遮臭効果を挙げ、またこれらのシートに吸湿性のあるシートを積層することによってコンテナ内の水分を吸着し、除湿するものとなっているが、シート自体には剛性，特に面内剛性及び剛性が低いためフォークリフトのタイヤとシートの接触部において、発進・制動時におけるタイヤの接線方向力、操向に伴う床面に平行な力がシートの面内力となり、基板シートと床面間に滑りを生じ簡単にたぐり寄せられ、敷き詰め状態が破壊されてしまう。特に制動時、前後輪の制動力差が前後輪間のシートに引張力を発生させて、シートの破壊につながることもある。勿論、その回避のため床面等に対する固定手段を強固なものにすればよいが、コンテナ内において柔軟性のあるシートを安定的に、しかも迅速に固定するのは極めて困難なことである。
【００１２】
【課題を解決するための手段】
本発明は上述の如く問題点を解決すべくなされたもので、その特徴とするところは所要肉厚を有し剛性を付与した吸水性を有する基板シートの一面に、合成樹脂フィルム、例えばポリエステルフィルムの一面にアルミの蒸着膜層を形成し、且つその表面に保護の合成樹脂フィルム例えばポリエチレンフィルムを積層し接着してなる遮断シートを積層せしめ、この両シートをブチルゴム等の経時硬化性のない低弾性率粘着剤層を介して一体に接合し形成してなることを特徴としたコンテナの床面マスキング用仮設シートを提供することにある。
【００１３】
上記本発明における基板シートは、シート全体に面内曲げ及び面内剪断剛性を付与し、緊張力を与えてフォークリフト等のタイヤによるたぐり寄せを阻止することにあり、また加えて吸水性を付与することによってコンテナ内壁面、とり分け床面に付着する水分を吸収し、気温の上昇等によってコンテナ内に蒸発し、拡散するのを防止することにある。
【００１４】
その一方、前記遮断シートは基板シートに吸着された水分の透過を阻止することは勿論、床面から蒸発する水分の拡散を止め、同時に悪臭の拡散を遮断し、貨物への付着を防止することにある。
そして、この両シート間に介挿されるブチルゴム層等の経時硬化性のない低弾性率粘着剤は両者の接合をなすと共に、シート間に面内方向の層間変位を許容しタイヤから表層に加わる面内力の基板シートへの伝達力の緩衝機構として働き、破損を回避することにある。
【００１５】
前述したように運搬機械によるタイヤの回転はシート内部に面内剪断を起こすもので、前記積層シート層間を剛に接合した場合、上層シートからの面内剪断力が下層のシートに直接作用し、上層シートが下層シートより剛性が高い場合にはシート相互が破壊される危険がある。前述の例えばブチルゴム層は両シート間に柔軟な層を形成して面内剪断力を吸収し、引いては基板シートを床面に安定的に接面させ固定させるものである。
【００１６】
また、本発明は前記基板シートは所要肉厚を有するパルプを主体としたフエルト製シートであることを特徴としたコンテナの床面マスキング用仮設シートを提供することにある。
【００１７】
また更に、本発明は前記基板シートは少なくとも１平方メートル当たり２００ｇのパルプ紙であることを特徴としたコンテナの床面マスキング用仮設シートを提供することにある。
【００１８】
基板シートは前述の如く本発明シート全体の剛性を保ちタイヤによるたぐり寄せを防止すると共に、水分の吸収を図るものであり、そのための素材としてパルプ紙，フェルト等が適当であるが、とり分けコストの面から古紙を材料とする再生パルプ紙等が挙げられる。
これらの素材からなる基板シートは前記所要の剛性を得るため平方メーター当たり２００ｇ以上のものが適当である。尚、剛性を補助する上から吸湿性を損なわない範囲のアスファルトを含浸させ、必要剛性を付与してもよい。
次に、本発明に係る床面マスキング用仮設シートにつき図示する実施例に基づき詳述する。
【００１９】
【発明の実施の形態】
図面は本発明に係る床面マスキング用仮設シートの積層状態を説明するため一部欠截した拡大斜視図である。１は基板シートであり、２はこの基板シートの一面に経時硬化性のない低弾性率の粘着剤であるブチルゴム層３を介して接合積層した遮断シートである。
基板シート１はシート全体の剛性を保ち、吸湿性を備えると共に床面との摩擦力を保持して一体性をもたせるものであり、ここでは再生パルプ紙が使われている。ことに所要の剛性を付与するため平方メートル当たり２００ｇ重量のパルプ紙を使用して腰の強いシートにすると共に、充分な吸湿性が得られるようにしてある。
【００２０】
遮断シート２は臭気並びに水蒸気の透過を阻止するもので、合成樹脂フィルム（ここではポリエステルフィルム）４の一面にアルミの蒸着膜層５を形成し、その表面に保護の合成樹脂フィルム（ここではポリエチレンフィルム）６を積層し形成したものである。
上記蒸着膜層５はポリエチレンフィルム６の気密性乃至水密性を一層完全なものとするもので、アルミの蒸着膜の外、広く金属薄膜であってもよい。また、ポリエチレンフィルム６はそれ自体臭気並びに水蒸気の透過を妨げる効力を有するが、外からの衝撃に弱い蒸着膜層５をポリエステルフィルム４と協同して保護し、遮臭効果の高い強靱な遮断シート２を形成することになる。
尚、合成樹脂フィルム４としてポエステルフィルムを、また合成樹脂フィルム６としてポリエチレンフィルムをそれぞれ挙げたが、これらに代わってポリプロピレン、ポリ塩化ビニル、ナイロン、ポリエチレンテレフタレート、ポリ塩化ビニリデン等のフィルムであってもよい。
【００２１】
前記ブチルゴム層３は基板シート１と上記遮断シート２を接合するものであるが、特にここでは未加硫のブチルゴムの柔軟性（低ヤングスモヂュラス）に注目して上記両シートの接着剤としており、このブチルゴム層３を介して両シートを接着することによって後述する使用時に発生する面内剪断力を吸収し、シートの破損を防止するものとしている。
【００２２】
尚、図面の実施例における本発明仮設シートにあっては基板シート１について、前述した如く平方メートル当たり２００ｇ重量の古紙パルプ紙を使用し、他方遮断シート２についてはポリエステルフィルムにアルミを蒸着したアルミ蒸着フィルムを１５ミクロンとし、蒸着膜５を保護するポリエチレンフィルム６は１２ミクロンとした。そして、この両フィルム１，２を接着するブチルゴム層３は０．２ｍｍとして仮設シートを積層形成している。
【００２３】
本発明仮設シートは上述の如く構成されるもので、実際の使用はコンテナの内部木製床面上に基板シート１側を下にして敷延べ、シートの縁部を中心とした下面の適所を両面粘着テープ（図示せず）を介して接着し床板面上に固定し、その全面を被覆する。この場合上記床板に対する固定作業に加えて仮設シートの縁部同志の衝き合せ縁部及び周縁部に沿う上面に片面粘着テープを貼りシート間及びシートと床板周囲の側壁面とを貼り合せてコンテナの床面全面を密閉することになる。
【００２４】
かくして敷詰められた本発明仮設シートは遮断シート２によりコンテナ内部の床面の全面を被い包み、室内空間とを気密に、また水密に遮断することから、この床面において発生する臭気カビの発生原因となる水蒸気の供給が断たれ貨物空間に拡散するのが妨げられ、従って貨物に付着するのが阻止されることになる。また同様に床板からの水分の蒸発も抑えられるため例えば外気温の上昇があっても室内空間の湿度が上昇することがなく貨物に及ぼす悪影響を回避することができる。
【００２５】
その一方、本発明仮設シートは基板シート１によって上記遮断シート２が裏打ちされ剛性をもたせて板状をなすことからフォークリフトを走行させても、タイヤの回転によってたぐり寄せられたり、巻込まれたりすることがなく、またハンドル操作によってタイヤの向きを変換してもこれによって揉まれ皺を作ったり、引きつれを起こしてシートが破損したり或いは被覆状態が破られたりすることがない。
【００２６】
そして、この基板シート１は所要の肉厚と粗雑な面から床板に対する密着性がよく、従って上記フォークリフトの走行時にタイヤの回転に伴って床面上を移動することがなく安定した敷詰め状態を確保し、引き剥がしを回避することができる。
また上記基板シート１は吸水性，吸湿性を有することから床板等に付着する水分、蒸発する水分をシート下面に留めるばかりでなく吸収，吸着して拡散防止を補助することになる。
【００２７】
一方、基板シート１と遮断シート２を接着するブチルゴム層３は臭気の拡散と水分の蒸発を阻止すると共に、前記フォークリフトの走行時に表面となる遮断シート２に加わる面方向の剪断力をその柔軟性、弾性によって吸収し、基板シート１に負荷する外力を弱めてシートの面内剪断力、引張力による内部破壊を回避することになる。
【００２８】
【発明の効果】
上述本発明は実施例に従って説明した如く構成され、使用されるもので、コンテナ床面からの悪臭成分及び水分の透過を阻止し貨物空間内への拡散を防止する。特に水分の阻止は悪臭の最大原因であるある種のカビ（真菌）の貨物室内での発生、成育条件を断つことになり防臭効果が高い。また同時に水分の阻止は温度変化に伴う結露の発生防止にも寄与し貨物及びパッケージの損傷を防止することができる。
その一方、本発明仮設シートは遮断シートが剛性を有する基板シートによって裏打ちされフォークリフト等の運搬機械のタイヤの巻込み、たぐり寄せに抵抗できる剛性が付与されているためコンテナ用のマスキング用仮設シートとして好適であり、コンテナに対する貨物の搬入搬出時に上記運搬機械の乗り入れ使用が可能であり、従来の同種シートからは得られない優れた効果がある。
【００２９】
また本発明シートは強靱であることから再使用を妨げないが、基板シートに古紙パルプ紙等を使用して低コストに製造されるものであるから使い捨てが出来ると共に、基板シートには吸湿，吸水性があることからコンテナ内、特に床面の水分除去に有効であり、コンテナの管理手間が省略できる。
【図面の簡単な説明】
【図１】本発明に係るコンテナの床面マスキング用仮設シートの積層状態を説明する一部欠截せる拡大斜視図である。
【符号の説明】
１            基板シート
２            遮断シート
３            ブチルゴム層
４            ポリエステルフィルム
５            蒸着膜層
６            ポリエチレンフィルム
【図１】
0003723261.tif 000002